(57)【要約】【課題】インナーローターが下シェルの開口部の閉位置へ回転復帰された時に、ディスクの下側外周エッジに側圧を印加することなく、このディスクをインナーローターの上方へ安全に押し上げるようにすること。【解決手段】上下シェル２、３間に回転自在に収容されたインナーローター１１内にディスク４が上下移動可能で、回転自在に載置され、インナーローター１１の回転によって下シェル３の開口部３ｂを開閉するシャッター１２、１３を備えたディスクカートリッジにおいて、インナーローター１１の外周部分に配置されて、上下方向に移動されるディスク押上げ部２５であって、インナーローター１１が上記開口部３ｂの開位置から閉位置へ回転復帰された時に上昇され、ディスク４の下側外周エッジ４ｅに下方から接触されて、ディスク４をインナーローター１１の上方へそのまま押し上げるディスク押上げ部２５を備えたディスクカートリッジ。【選択図】　　　　図１
2004103147.tif 000002
【特許請求の範囲】
【請求項１】
上下シェル間に回転自在に収容されたインナーローター内に、ディスク状記録媒体を上下移動可能で、回転自在に載置することができ、
上記インナーローターの回転によって上記下シェルの開口部を開閉するシャッターを備えたディスクカートリッジにおいて、
上記インナーローターの外周部分に配置されて、上下方向に移動されるディスク押上げ部であって、上記インナーローターが上記開口部の開位置から閉位置へ回転復帰された時に上昇され、上記ディスク状記録媒体の下側外周エッジに下方から接触されて、該ディスク状記録媒体を上記インナーローターの上方へそのまま押し上げるディスク押上げ部を備えた
ことを特徴とするディスクカートリッジ。
【請求項２】
上記ディスク押上げ部が上記インナーローターの周囲の複数箇所に配置されている
ことを特徴とする請求項１に記載のディスクカートリッジ。
【請求項３】
上記ディスク押上げ部と、該ディスク押上げ部を下方へ押し下げ付勢する弾性作用部とが上記インナーローターに備えられ、
上記インナーローターが上記開位置から上記閉位置へ回転復帰された時に、上記ディスク押上げ部が下シェルの押上げ用凸部上に乗り上げることにより、該ディスク押上げ部が上記弾性作用部に抗して上記インナーローターの上方へ押し上げられるように構成された
ことを特徴とする請求項１に記載のディスクカートリッジ。
【請求項４】
上記ディスク押上げ部を上記インナーローターに対して上下方向に平行移動させる
ことを特徴とする請求項３に記載のディスクカートリッジ。
【請求項５】
上記ディスク押上げ部と、該ディスク押上げ部を上方へ押上げ付勢する弾性作用部とが上記下シェルに備えられ、
上記インナーローターが上記開位置から上記閉位置へ回転復帰された時に、上記ディスク押上げ部が上記弾性作用部によって上記インナーローターの上方へ押し上げられるように構成された
ことを特徴とする請求項１に記載のディスクカートリッジ。
【請求項６】
上記ディスク押上げ部を上記下シェルに対して上下方向に平行移動させるように構成した
ことを特徴とする請求項５に記載のディスクカートリッジ。
【発明の詳細な説明】
【０００１】
【発明の属する技術分野】
本発明は、ＭＯ、ＤＶＤ、ＤＶＤ−ＲＯＭ等の光ディスクや光磁気ディスク、その他のディスク状記録媒体を収納して、使用されるディスクカートリッジ属するものであって、特に、インナロータの回転により開閉駆動されるシャッターにて下シェルの開口部を開閉するように構成された防塵性の高いディスクカートリッジに適用されるディスクカートリッジにおけるディスクの記録面を保護する構造の技術分野に属するものである。
【０００２】
近年、防塵性を高くして、ディスクの記録密度の著しい向上を実現するインナーローター使用のディスクカートリッジが開発されている。
このディスクカートリッジは、上下シェル間に回転自在に収容されたインナーローター内にＭＯ、ＤＶＤ、ＤＶＤ−ＲＯＭ等の光ディスクや磁気ディスクその他のディスクを、記録面が下向きにされた状態で載置している。そして、下シェルのほぼ中央部から一側部にかけてほぼ長穴形状の開口部を形成すると共に、その開口部とほぼ相似形状の開口部をインナーローターに形成すると共に、そのインナーローターの回転により回動されるシャッターを下シェルとインナーローターとの間に配置している。そして、インナーローターの回転により、そのインナーローターの開口部を下シェルの開口部に対して重なる位置と一側方へずらされた位置との間で回動させると共に、シャッターで下シェルの開口部を開閉するように構成されている。
【０００３】
【発明が解決しようとする課題】
しかし、このディスクカートリッジは、構造上、インナーローター及びシャッターがモールド部品（合成樹脂成形品であって、以下、モールド部品と記載する）からなる薄板構造に形成されている。
このため、下シェルの開口部がシャッター及びインナーローターによって閉塞されている状態で、使用者が手指等で下シェルの開口部からシャッターを内部へ不用意に押し込むようなことがあると、シャッター及びインナーローターが内部へ簡単に撓んでしまい、これらシャッター及びインナーローターがディスクの記録面に接触して、その記録面が傷つけられ易いと言う問題があった。
【０００４】
そこで、図２３の（Ａ）（Ｂ）に示すようなディスクカートリッジ５１が考えられている。このディスクカートリッジ５１は、上下シェル５２、５３間に配置されて回転されるインナーローター５４の上部にディスク５５を記録面５５ａが下向きにされた状態で載置されている。なお、そのディスク５５の記録面５５ａの下面は透明な保護シート５５ｂが貼付されている。
そして、インナーローター５４の外周部分の一部に配置されたスライド部材５６にディスク５５の下側外周エッジ５５ｃに対向された傾斜面５６ａを形成して、インナーローター５４が下シェル５３の開口部（図示せず）の開位置と閉位置との間で回転される間は、図２３の（Ａ）に示すように、スライド部材５６をディスク５５の外周から離れる方向であるｘ方向にスライド（待避）させて、ディスク５５の記録面５５ａをインナーローター５４に近接させている。
そして、インナーローター５４が開位置から閉位置まで回転復帰された瞬間に、図２３の（Ｂ）に示すように、スライド部材５６をディスク５５の外周に近づく方向である矢印ｙ方向にスライドさせて、そのスライド部材５６の傾斜面５６ａをディスク５５の下側外周エッジ５５ｃに矢印ｙ方向から押し付ける。そして、その傾斜面５６ａによる上方である矢印ｚ方向の押圧分力によってディスク５５をインナーローター５４から上方である上シェル５２側へ押し上げ、ディスク５５の記録面５５ａをインナーローター５４の上方に引き離す（浮上させること）ように構成したものである。
【０００５】
このように構成されたディスクカートリッジ５１によれば、下シェル５３の開口部が閉塞されている状態では、内部のディスク５４の記録面５５ａをインナーローター５４から上方に引き離しておくことができるので、前述したように、使用者が手指等で、下シェル５３の開口部からシャッター（図示せず）を内部へ不用意に押し込んでしまい、シャッター及びインナーローター５４が内部へ不用意に撓ませられるようなことがあっても、そのシャッターやインナーローター５４がディスク５５の記録面５５ａに接触し難く、その記録面５５ａが傷つき難いと言う利点がある。
しかし、このディスクカートリッジ５１では、スライド部材５６の傾斜面５６ａをディスク５５の下側外周エッジ５５ｃに矢印ｙ方向から押し付けた時の矢印ｚ方向の押圧分力によってディスク５５をインナーローター５４から上方へ押し上げる構造であり、傾斜面５６ａがディスク５５の下側外周エッジ５５ｃに矢印ｙ方向から押し付けられた時に、そのディスク５５の下側外周エッジ５５ｃに矢印ｙ方向の側圧が印加されてしまう。そして、この側圧の印加によってディスク５５の下側に貼付されている保護シート５５ｂが剥離されたり、ディスク５５に撓み等の変形を発生させ易いと言う重大な欠陥がある。
【０００６】
本発明は、上記の問題を解決するためになされたものであって、インナーローターによって下シェルの開口部が閉塞された時に、ディスク状記録媒体の保護シートを剥離したり、ディスク状記録媒体に撓み等の変形を発生させることなく、ディスク状記録媒体をインナーローターの上方へ引き離して、シャッターやインナーローターがディスク状記録媒体の記録面に不用意に接触されることがないようにしたディスクカートリッジを提供することを目的としている。
【０００７】
【課題を解決するための手段】
上記の目的を達成するための本発明のディスクカートリッジは、上下シェル間に回転自在に収容されたインナーローター内に、ディスク状記録媒体を上下移動可能で、回転自在に載置することができ、上記インナーローターの回転によって上記下シェルの開口部を開閉するシャッターを備えたディスクカートリッジにおいて、上記インナーローターの外周部分に配置されて、上下方向に移動されるディスク押上げ部であって、上記インナーローターが上記開口部の開位置から閉位置へ回転復帰された時に上昇され、上記ディスク状記録媒体の下側外周エッジに下方から接触されて、該ディスク状記録媒体を上記インナーローターの上方へそのまま押し上げるディスク押上げ部を備えたものである。
【０００８】
上記のように構成された本発明のディスクカートリッジは、インナーローターが下シェルの開口部の開位置から閉位置へ回転復帰された時に、ディスク押上げ部が上昇されて、そのディスク押上げ部がインナーローター内のディスク状記録媒体の下側外周エッジに下方から接触されて、そのディスク状記録媒体をそのままインナーローターの上方へ押し上げるので、ディスク状記録媒体の下側外周エッジに側圧を印加することなく、ディスク状記録媒体をインナーローターの上方へ軽快に押し上げることができる。
【０００９】
【発明の実施の形態】
以下、本発明を適用したディスクカートリッジの実施の形態を図１〜図２３を参照して、以下の順序で説明する。
2004103147.tif 000003
【００１０】
（１）・・・ディスクカートリッジのディスク押上げ構造の説明
初めに、図１〜図６によって、ディスクカートリッジ１のディスク押上げ構造の第１、第２、第３の実施の形態について説明する。なお、このディスクカートリッジ１のインナーローター１１及び一対のシャッター１２、１３による上シェル３の底部３ａの開口部３ｂの開閉動作等については後述する。
【００１１】
そこで、図１〜図６によって、このディスクカートリッジ１のディスク押上げ構造の第１の実施の形態について説明する。
このディスク押上げ構造の第１の実施の形態は、図１〜図３に詳細構造を示すように、１個又は複数個のディスク押上げ部２５を弾性作用部２６を介してモールド部品からなるインナーローター１１の底部１１ａで、円筒状の外周壁１１ｂの近傍位置に一体成形したものである。この際、各ディスク押上げ部２５は底部１１ａの中心からの放射線Ｐ上に配置されていて、その各放射線Ｐを跨ぐように底部１１ａに一体成形されたほぼコ字状であるコ字状スリット２７の内側に各ディスク押上げ部２５が一体成形されている。そして、そのコ字状スリット２７の開口部２７ａが底部１１ａの中心方向側に配置されていて、その開口部２７ａ部分にて放射線Ｐを直角上に横切る位置に弾性作用部２６が一体成形されている。従って、各ディスク押上げ部２５は、底部１１ａの中心方向側にて各弾性作用部２６を介して底部１１ａに一体に接続され、その各ディスク押上げ部２５のほぼコ字状の外周が各コ字状スリット２７によって底部１１ａから切り離された状態に底部１１ａに一体成形されている。
【００１２】
そして、各弾性作用部２６は底部１１ａの肉厚より薄い薄肉構造に構成されていて、各ディスク押上げ部２５は各弾性作用部２６の弾性に抗して上下方向である矢印ｇ、ｈ方向にスイング方式で昇降可能に構成されている。
そして、各ディスク押上げ部２５の先端であるインナーローター１１の外周壁１１ｂ側の上面には仰角が約２０°〜３０°の傾斜面２５ａが一体成形されていて、下部には台形状や半球形状等の下向きの凸部２５ｂが一体成形されている。
【００１３】
なお、後述するように、インナーローター１１が図４に示す閉位置である開口部閉塞位置まで矢印ｃ方向に回転復帰された時に、ディスクカートリッジ１の下シェル３の底部３ａの開口部３ｂが閉塞されて、インナーローター１１が図５に示す開口部開放位置まで矢印ｄ方向に回転された時に、ディスクカートリッジ１の下シェル３の底部３ａの開口部３ｂが開放されるように構成されている。
そして、インナーローター１１が図４に示す開口部閉塞位置まで矢印ｃ方向に回転復帰された時に、各ディスク押上げ部２５を弾性作用部２６の弾性に抗して図１の（Ａ）に示すように上方である矢印ｈ方向に押し上げるための上向きの凸部である押上げ用凸部２８がモールド部品からなる下シェル３の底部３ａ上に一体成形されている。これら各押上げ用凸部２８は半球形状や台形状等に形成されている。
【００１４】
なお、図４及び図５は、２個のディスク押上げ部２５をインナーローター１１の底部１１ａ上で、外周壁１１ｂの近傍位置における１８０°対向位置に２個配置した例を示していて、図６は、２個のディスク押上げ部２５を１２０°間隔等に配置したものである。従って、このディスクカートリッジ１では、ディスク押上げ部２５を１個〜複数個設けることが可能である。但し、ディスク押上げ部２５を１個とする場合には、図４に示すように、インナーローター１１が開口部閉塞位置まで矢印ｃ方向に回転復帰された時に、ディスク押上げ部２５が下シェル３の開口部３ｂに接近されるように配置させることが望ましい。
【００１５】
ここで、ディスク押上げ構造の第１の実施の形態の動作を説明する。
まず、図５に示すように、インナーローター１１が下シェル３の開口部３ｂを開放させた開位置である開口部開放位置まで矢印ｄ方向へ回転されている状態では、各ディスク押上げ部２５が下シェル３の各ディスク押上げ用凸部２８に対して矢印ｄ方向に離間されている。
この時には、図１の（Ｂ）に示すように、各ディスク押上げ部２５は各弾性作用部２６の弾性復元力によって下方である矢印ｇ′方向に回転下降されて、水平状態となり、下部の凸部２５ｂが下シェル３の底部３ａ上に当接されている。そして、インナーローター１１内のディスク４は下シェル３に対して高さＨ１に近接された下降位置Ｐ１まで矢印ｇ方向に下降されている。
【００１６】
次に、図４に示すように、インナーローター１１が下シェル３の開口部３ｂを閉塞する開口部閉塞位置まで矢印ｃ方向に回転復帰されると、各ディスク押上げ部２５の下部の凸部２５ｂが下シェル３の各ディスク押上げ用凸部２８上に同時に乗り上げる。
すると、図１の（Ａ）に示すように、各ディスク押上げ部２５が弾性作用部２６の弾性復元力に抗して上方である矢印ｈ′方向に同時に回転上昇される。
そして、各ディスク押上げ部２５の傾斜面２５ａがディスク４の下側外周エッジ４ｅを矢印ｈ方向に同時に押し上げることにより、インナーローター１１内のディスク４が下シェル３に対して上方に所定高さＨ２に離間された上昇位置Ｐ２まで矢印ｈ方向に平行に上昇される。
【００１７】
この際、図１の（Ａ）に示すように、矢印ｈ方向に上昇される各ディスク押上げ部２５が傾斜面２５ａによってディスク４の下側外周エッジ４ｅをそのまま矢印ｈ方向へ同時に押し上げることになるので、ディスク４の下側外周エッジ４ｅに、図２３の（Ａ）で説明した矢印ｙ方向の側圧が印加されることがない。
従って、その矢印ｙ方向の側圧によって、ディスク４の下面の記録面４ｃに貼付されている保護シート４ｄが剥離されたり、ディスク４に撓み等の変形が生じることが全くなく、ディスク４を上昇位置Ｐ２まで安全に上昇させることができる。
【００１８】
そして、このように、下シェル３の開口部閉塞状態で、ディスク４を下シェル３の底部３ａから上方に所定高さＨ２に離間された上昇位置まで平行に上昇させておけば、後述するように、使用者が手指等で下シェル３の開口部３ｂからシャッター１２、１３及びインナーローター１１の底部１１ａの一部を内部へ不用意に押し込むようなことがあっても、これらのシャッター１２、１３やインナーローター１１の底部１１ａの一部がディスク４の下面の記録面４ｃに接触されて、その記録面４ｃが不用意に傷つけられることを未然に防止することができる。
【００１９】
次に、図７〜図９によって、このディスクカートリッジのディスク押上げ構造の第２の実施の形態について説明する。
このディスク押上げ構造の第２の実施の形態は、インナーローター１１の外周壁１１ｂの内側に垂直状のガイド部３１を一体成形し、モールド部品等からなるディスク押上げ部２５を垂直状の被ガイド部３２によってガイド部３１に係合させて、このディスク押上げ部２５をガイド部３１で案内するようにして、インナーローター１１の上下方向である矢印ｇ、ｈ方向に平行運動によって昇降させるように構成したものである。この際、ディスク押上げ部２５はインナーローター１１の底部１１ａに開口された切欠き部３３内に配置されていて、そのディスク押上げ部２５に一体成形等された薄肉構造等の弾性作用部２６をインナーローター１１の底部１１ａに係合させるか、又は、底部１１ａに一体成形等された弾性作用部２６をディスク押上げ部２５に係合させている。
【００２０】
そして、図４に示されているように、インナーローター１１が下シェル３の開口部３ｂを閉塞する開口部閉塞位置まで矢印ｃ方向に回転復帰させて、ディスク押上げ部２５の下部の凸部２５ｂが下シェル３のディスク押上げ部２５上に乗り上げた時に、ディスク押上げ部２５を図７の（Ｂ）に示す下降位置Ｐ１から図７の（Ａ）に示す上昇位置Ｐ２までガイド部３１で案内して矢印ｈ方向に平行運動によって弾性作用部２６に抗して上昇させるように構成したものである。
【００２１】
このディスク押上げ構造の第２の実施の形態によれば、ディスク押上げ部２５をガイド部３１で案内して、下降位置Ｐ１から上昇位置Ｐ２へ平行運動によって矢印ｈ方向に垂直に上昇させることができるので、そのディスク押上げ部２５の傾斜面２５ａによってディスク４の下側外周エッジ４ｅを矢印ｈ方向に押し上げる際に、その下側外周エッジ４ｅに前述した矢印ｙ方向への側圧が加えられることをより一層防止することができる効果がある。
【００２２】
次に、図１０〜図１３によって、ディスク押上げ構造の第３の実施の形態について説明する。
このディスク押上げ構造の第３の実施の形態は、図１３に示すように、モールド部品等からなるディスク押上げ部２５をインナーローター１１の外側位置の１８０°対向位置等において下シェル３上に取り付けたものである。
この際、図１０〜図１２に示すように、各ディスク押上げ部２５は下シェル３に形成された垂直状のガイド溝３５内に挿入されて、上下方向である矢印ｇ、ｈ方向に昇降自在に構成され、板ばねや圧縮コイルばね等の弾性作用部２６によって上方である矢印ｈ方向に移動付勢されている。そして、この各ディスク押上げ部２５の内側の上面には傾斜面２５ｂと水平状の段部２５ｃが形成されている。
【００２３】
そして、図１１の（Ａ）及び（Ｂ）に示すように、インナーローター１１の円筒状の外周部１１ｂの２箇所等に、その外周部１１ｂの下端縁に沿って円弧状に切り欠かれた切欠き部３６が形成されている。この切欠き部３６の矢印ｃ方向側が下向きの水平部３６ａに形成されていて、その水平部３６の矢印ｄ方向側の端部には上方に向って凹んだ形状の凹部３６ｂが形成され、その凹部３６ｂは傾斜面３６ｃによって水平部３６ａに接続されている。そして、各ディスク押上げ部２５の段部２５ｃ及び傾斜面２５ｂがこの各切欠き部３６内をインナーローター１１の外周部１１ｂの外側から内側へ挿通させた状態に配置されていて、各段部２５ｃの上面が下向きの各水平部３６ａ、各傾斜面３６ｃ、各凹部３６ｂに対向されている。
【００２４】
そして、図１０の（Ｂ）及び図１１の（Ｂ）に示すように、インナーローター１１が前述した下シェル３の開口部開放位置まで矢印ｄ方向に回転されている状態では、インナーローター１１の各切欠き部３６の水平部３６ａによって各ディスク押下げ部２５の段部２５ｃが下方である矢印ｇ方向に弾性作用部２６に抗して押し下げられて、この各ディスク押上げ部２５が下降位置まで矢印ｇ方向に垂直状に下降されている。
【００２５】
そして、図１０の（Ａ）及び図１１の（Ａ）に示すように、インナーローター１１が図１４に示した下シェル３の開口部閉塞位置まで矢印ｃ方向に回転復帰されると、各ディスク押下げ部２５の段部２５ｃがインナーローター１１の各切欠き部３６の水平部３６ａから傾斜面３６ｃを経て凹部３６ｂ内へ相対的に矢印ｄ方向へ移動される。そして、各ディスク押下げ部２５の段部２５ｃが各切欠き部３６の水平部３６ａから傾斜面３６ｃを経て凹部３６ｂ内へ入り込んだ時に、各ガイド溝３５内の各ディスク押下げ部２５が弾性作用部２６によって矢印ｈ方向に垂直に押し上げられて、下降位置から上昇位置まで平行運動によって矢印ｈ方向へ垂直に上昇される。
そして、その各ディスク押上げ部２５の傾斜面２５ａによってディスク４の下側外周エッジ４ｅがそのまま矢印ｈ方向に押し上げられて、ディスク４が図１０の（Ｂ）に示す下降位置Ｐ１から図１０の（Ａ）に示す上昇位置Ｐ２まで矢印ｈ方向に上昇されることになる。
【００２６】
そして、このディスク押上げ構造の第３の実施の形態も、前述した第２の実施の形態と同様に、ディスク押上げ部２５をガイド溝３５で案内して、下降位置Ｐ１から上昇位置Ｐ２へ平行運動によって矢印ｈ方向に垂直に上昇させることができるので、そのディスク押上げ部２５の傾斜面２５ａによってディスク４の下側外周エッジ４ｅを矢印ｈ方向に押し上げる際に、その下側外周エッジ４ｅに、前述した矢印ｙ方向への側圧が加えられることをより一層防止することができる効果がある。
【００２７】
（２）・・・　ディスクカートリッジ全体の概要説明
次に、前述したディスクチャッキング構造が収容されているインナーローター方式のディスクカートリッジ１全体の概要を図１４〜図２２によって説明する。
このディスクカートリッジ１は、モールド部品等からなるインナーローター１１と、そのインナーローター１１の下面に回転自在に取り付けられて、そのインナーローター１１の回転によって下シェル３の開口部３ａを開閉するモールド部品等からなる一対のシャッター１２、１３とを備えている。そして、インナーローター１１は円形の皿形に成形されていて、円板状の底部１１ａの外周に円筒状の外周壁１１ｂが垂直状に立ち上げられている。なお、底部１１ａには下シェル３の開口部３ａとほぼ同一形状の開口部１１ｃが形成されている。そして、このインナーローター１１は下シェル３の上部に隙間１４を有する状態に水平状で、回転自在に載置されていて、このインナーローター１１の外周壁１１ｂが上下シェル２、３間の外周部分の内側に形成されている円筒状溝１５内に回転自在に挿入されている。
そして、ディスク４がこのインナーローター１１の底部１１ａ上に回転自在で、上下動可能に水平状に載置されている。
【００２８】
一方、一対のシャッター１２、１３はほぼ半円形状に成形された薄板構造に構成されている。そして、これら一対のシャッター１２、１３はインナーローター１１の底部１１ａの下面で、開口部１１ｃの両側に対称状に重ねられて、互いに反対側の端部が一対の回転支点１６によってインナーローター１１の底部１１ａに沿って回転自在に取り付けられている。そして、これら一対のシャッター１２、１３の回動支点１６側とは反対側に対称状に形成されている一対のカム溝１７が下シェル３の上面３ｂに一体成形されている一対のカムピン１８に摺動自在に挿入されている。
【００２９】
そして、インナーローター１１の外周壁１１ｂの外周面に一体成形された部品ギア等を有するインナーローター回転駆動部１９の一部が上下シェル２、３の一側部に形成された溝状の窓穴２０に露呈されていて、このインナーローター回転駆動部１９が窓穴２０の外側からラック等のインナーローター回転駆動部材（図示せず）によって矢印ｃ、ｄ方向に回転駆動されることにより、一対のシャッター１２、１３によって下シェル３の開口部３ａが開閉されるように構成されている。
即ち、図１７及び図１９は、シャッター閉状態を示していて、この時は、インナーローター１１が矢印ｃ方向に回転されて、そのインナーローター１１の開口部１１ｃが下シェル３の開口部３ａから矢印ｃ方向に所定角分偏位され、一対のシャッター１２、１３がそれぞれ回動支点１６を中心に矢印ｅ方向から相互に閉じて、インナーローター１１の底部１１ａの一部と、一対のシャッター１２、１３のそれぞれの一部とによって下シェル３の開口部３ａが閉塞されている。
【００３０】
次に、図１８及び図２０は、シャッター開状態を示していて、このディスクカートリッジ１がディスクドライブ装置（図示せず）内にセットされると、ディスクカートリッジ１の窓穴２０の外側からインナーローター回転駆動部１９がインナーローター回転駆動部材によって矢印ｄ方向に回転駆動されて、インナーローター１１が図１７及び図１９に示す閉位置から図１８及び図２０に示す開位置まで矢印ｄ方向に回転駆動される。
【００３１】
すると、インナーローター１１の開口部１１ｃが下シェル３の開口部３ｂの真上に重ねられると共に、一対のカム溝１７とカムピン１８とによる相互のカム作用によって、一対のシャッター１２、１３全体が矢印ｄ方向に回動されながら、これら一対のシャッター１２、１３がそれぞれ回動支点１６を中心に矢印ｆ方向に相互に開いて、これら一対のシャッター１２、１３が相互に重ねられた開口部１１ｃ、３ｂの両側へ逃げ、下シェル３の開口部３ａが完全開放されることになる。
なお、このディスクカートリッジ１がディスクドライブ装置からイジェクトされる際に、インナーローター回転駆動部材によってインナーローター１１が図１８及び図２０に示す開位置から図１７及び図１９に示す閉位置まで矢印ｃ方向に回転駆動されて、下シェル３の開口部３ａが閉塞されることになる。
【００３２】
そして、このように、インナーローター１１の回転により開閉される一対のシャッター１２、１３によって下シェル３の開口部３ａを開閉するディスクカートリッジ１にあっては、上下シェル２、３間にインナーローター１１及び一対のシャッター１２、１３が収容されることになって、このディスクカートリッジ１全体の外部厚みＣが厚くなる傾向にある。従って、モールド部品からなるインナーローター１１の底部１１ａ及びシャッター１２、１３の厚みをできるだけ薄くして、ディスクカートリッジ１全体の外部厚みＣが厚くなることを防止する必要がある。
【００３３】
しかし、インナーローター１１及びシャッター１２、１３がモールド部品からなる薄板構造に形成されていると、これらは手指等で押された場合に、簡単に撓み易くなる。
このため、使用者が手でディスクカートリッジ１をつまんで、ディスクドライブ装置に対して出し入れしたり、ディスクカートリッジ１を持ち運びする際に、図１６に１点鎖線で示すように、使用者が手指等を誤って、ディスクカートリッジ１の開口部３ａ内に下方から矢印ｂ方向に挿入してしまい、閉塞状態にあるシャッター１２、１３及びインナーローター１１の底部１１ａをディスクカートリッジ１内へ矢印ｂ方向へ不用意に押し上げるようなことがあると、これら、シャッター１２、１３及びインナーローター１１の底部１１ａがディスクカートリッジ１の内部へ簡単に撓んでしまい、これらシャッター１２、１３及びインナーローター１１の底部１１ａがディスク４の下面４ｆ側にある記録面４ｃに接触して、その記録面４ｃが傷つけられ易いと言う問題があった。
【００３４】
しかし、図１〜図１３に示したディスク押上げ構造の第１、第２、第３の実施の形態の何れかを、このディスクカートリッジ１に採用することにより、図１の（Ａ）、図７の（Ａ）、図１０の（Ａ）で説明したように、インナーローター１１が下シェル３の開口部閉塞位置まで回転復帰されている状態では、ディスク４をディスク押上げ部２５によって下シェル３の上方の上昇位置Ｐ２まで安全に上昇させて、そのディスク４を下シェル４の内部方向に十分な距離Ｌ分引き離しておくことができる。
【００３５】
従って、使用者が手指等で下シェル３の開口部３ｂからシャッター１２、１３を内部へ不用意に押し込むようなことがあって、シャッター１２、１３及びインナーローター１１の底部１１ａが内部である図１の（Ａ）、図７の（Ａ）、図１０の（Ａ）で矢印ｈ方向へ撓ませられても、これらシャッター１２、１３及びインナーローター１１の底部１１ａがディスク４の記録面４ｃに不用意に接触される危険を回避することができる。従って、ディスク４の記録面４ｃが傷つけられることを極力防止することができる高い安全性を確保できる効果がある。
【００３６】
また、前述したように、インナーローター１１の回転により開閉される一対のシャッター１２、１３によって下シェル３の開口部３ａを開閉するディスクカートリッジ１にあっては、上下シェル２、３間にインナーローター１１及び一対のシャッター１２、１３が収容されることになって、このディスクカートリッジ１全体の外部厚みＣが厚くなる傾向にある。
そこで、図２１及び図２２に示すディスクチャッキング構造を適用することにより、上下シェル２、３間の内部厚みＡを小さく抑えて、ディスクカートリッジ１全体の外部厚みＣを極力小さくすることが可能になり、しかも、ディスク４のデータ記録及び／又は再生時の高い信頼性も得られると言う効果を奏することができる。
【００３７】
即ち、図２１及び図２２に示すディスクチャッキング構造は、このディスクカートリッジ１内で、ディスク４の上面４ｆの中央位置に、ＳＵＳ等の強磁性体でプレス加工等にて形成されたチャッキングプレート５が載置されている。そして、このチャッキングプレート５には、中央円形凹部５ａ、ディスク押圧部５ｂ、テーパー部５ｃ、外周フランジ部５ｄが一体で同心状にプレス加工されていて、更に、外周フランジ部５ｄの外周から上方に垂直状に立ち上げられた立ち上げ部（又は外周フランジ部５ｄの外周から下方に垂直状に立ち下げられた立ち下げ部）である外周円筒部５ｅが一体にプレス加工されている。そして、このチャッキングプレート５の最下部のディスク押圧部５ｂでディスク４の上面４ｆの中央位置に自重で水平状に載置されている。
【００３８】
一方、上シェル２の下向きの内面である下面２ａで、チャッキングプレート５の外周相当位置に、チャッキングプレート５の径方向（矢印Ｘ方向）の位置決め手段であって、外周ガイド部に相当する外周円筒状リブ６が垂直状に一体成形等されている。そして、この外周円筒状リブ６の円筒状内周面６ａの内径寸法はチャッキングプレート５の外周円筒部５ｅの外径寸法より十分に大きく設定されている。
【００３９】
従って、チャッキングプレート５は外周円筒状リブ６内に回転自在で、上下（矢印ａ、ｂ方向）に移動可能に収容されていて、このチャッキングプレート５はディスク４と一緒に矢印ａ、ｂ方向に上下動されるように構成されている。
なお、この外周円筒状リブ６とは、内周面６ａが円筒状であるものを示唆していて、外周面６ｂは円筒状以外の多角形であっても良い。また、外周ガイド部としては下シェル３の上シェル２の下面２ａに一体成形した複数の垂直リブを円筒状に並べた形状に構成することも可能である
【００４０】
このディスクカートリッジ１のディスクチャッキング構造によれば、図２１に示すように、ディスクカートリッジ１の非使用状態では、ディスク４が自重によって矢印ａ方向に下降されて、そのディスク４の下面４ｇで、中心穴４ａの外周部分を下シェル３の上向きの内面である上面３ｂで、開口部３ａの外周部分に一体成形等されている内周リブ３ｃ上に水平状に載置して、ディスク４の下面４ｇで、データ記録部４ｂ部分を下シェル３の下面３ａから上方に浮かせている。
そして、外周円筒状リブ６内のチャッキングプレート５は自重によってディスク４と一緒に矢印ａ方向に下降されている。
【００４１】
そして、図２２に示すように、このディスクチャッキング構造によれば、ディスクカートリッジ１が図示省略したディスクドライブ装置内にローディングされると、下シェル３の開口部３ａ内にスピンドルモータ（図示せず）のターンテーブル４１及び光学ピックアップ（図示せず）が下方から矢印ｂ方向に相対的に挿入される。
【００４２】
そして、そのターンテーブル４１の上部中央に形成されているほぼ円錐台形状のセンターリング用凸部４１ａがディスク４の中心穴４ａに矢印ｂ方向から挿入されて、ディスク４がセンターリングされるのと同時に、ターンテーブル４１の外周部分に水平状に形成されている円環状のディスク載置面４１ｂ上にディスク４の下面４ｇで中心穴４ａの外周部分が水平状に載置される。そして、ディスク４がターンテーブル４１によってディスクカートリッジ１内の上下シェル２、３間のほぼ中央位置まで矢印ｂ方向に押し上げられ、そのディスク４と一緒にチャッキングプレート５が矢印ｂ方向に押し上げれれて、これらディスク４及びチャッキングプレート５が共に上下シェル２、３に対して非接触状態に支持される。また、光学ピックアップがディスク４の下面４ｇに近接される。
【００４３】
この時、ターンテーブル４１のセンターリング用凸部４１ａの内の中央に埋設されている円形のチャッキング用マグネット１２がチャッキングプレート５の中央円形凹部５ｃ内に矢印ｂ方向から挿入されて、このチャッキング用マグネット１２がチャッキングプレート５に近接される。
すると、そのチャッキングプレート５がチャッキング用マグネット１２の磁気吸引力によって矢印ａ方向に吸引されて、チャッキングプレート５の円環状のディスク押圧部５ｂがディスク４の上面４ｆで中心穴４ｂの外周部分をターンテーブル４１の円環状のディスク載置面４１ｂ上に上方から圧着して固定、即ち、チャッキングする。
【００４４】
そして、スピンドルモータによってターンテーブル４１を介してディスク４がディスクカートリッジ１内で回転駆動されて、光学ピックアップによってディスク４のデータ記録部４ｃにデータが記録及び／又は再生される際、チャッキングプレート５は上シェル２及び外周円筒状リブ６に対して非接触状態で、ディスク４と一体に回転されることになる。
なお、このディスクチャッキング回転時におけるディスク４及びチャッキングプレート５の上シェル２に対する隙間は、チャッキングプレート５の外周円筒部５ｅの上端と外周円筒状リブ６の内周面との間の水平方向の隙間Ｇ１、その外周円筒部５ｅの上端と上シェル２の下面２ａとの間の垂直方向の隙間Ｇ２、その外周円筒状リブ６の下端面６ｃとディスク４の上面４ｄとの間の垂直方向の隙間Ｇ３との合計３箇所である。
【００４５】
このディスクカートリッジ１のディスクチャッキング構造によれば、図２２に示すように、ディスクチャッキング回転時において、上シェル２とディスク４との間で考慮しなければならない垂直方向の隙間は、上シェル２とチャッキングプレート５との間の隙間Ｇ２と、外周円筒状リブ６とディスク４との間の隙間Ｇ３との２箇所のみとなり、これらの隙間Ｇ２、Ｇ３は十分に大きく設定することができる。
【００４６】
そして、これら２箇所の隙間Ｇ２、Ｇ３を十分に大きく設定することができれば、ディスクチャッキング回転時に、スピンドルモータによりターンテーブル４１と一緒にディスク４及びチャッキングプレート５が回転駆動される際に、隙間Ｇ２部分においては、チャッキングプレート５が上シェル２に接触され難くなり、隙間Ｇ３部分では、ディスク４が外周円筒状リブ６に接触され難くななるので、信頼性が向上する。また、温度、湿度等の環境変化による収縮、膨張の発生による信頼性の低下も抑えることができる。
また、外周円筒状リブ６は、単純な円筒形等に形成すれば良いので、この外周円筒状リブ６は上記上シェル２に極くに簡単一体成形することができ、この外周円筒状リブ６を上シェル２に一体成形することによるコストアップは何等発生しない。
【００４７】
以上、本発明の実施の形態について説明したが、本発明は上記した実施の形態に限定されることなく、本発明の技術的思想に基づいて各種の変更が可能である。
例えば、本発明は、上シェル２の全部又は一部を下シェル３に対して開閉自在に構成して、ディスク４をインナーローター１１内に交換（脱着）可能に収納することができるリムーバブルディスク（Ｒｅｍｏｖａｂｌｅ　Ｄｉｓｋ）用キャディと称されるディスクカートリッジにも適用可能である。
また、本発明は、ディスク４の下側外周エッジ４ｅに下方から接触されるディスク押上部２５の傾斜面２５ａ等のディスク接触部に、弾性部材を付設して、ディスク４を弾性的に、安全に押し上げることができるように構成することも可能である。
【００４８】
【発明の効果】
以上のように構成された本発明のディスクカートリッジは、次のような効果を奏することができる。
【００４９】
請求項１は、インナーローターが下シェルの開口部の開位置から閉位置へ回転復帰された時に、ディスク押上げ部が上昇されて、そのディスク押上げ部がインナーローター内のディスク状記録媒体の下側外周エッジに下方から接触されて、そのディスク状記録媒体をそのままインナーローターの上方へ押し上げるので、ディスク状記録媒体の下側外周エッジに側圧を印加することなく、ディスク状記録媒体をインナーローターの上方へ軽快に押し上げることができるようにしたので、インナーローターによって下シェルの開口部が閉塞された時に、ディスク状記録媒体の保護シートを剥離したり、ディスク状記録媒体に撓み等の変形を発生させることなく、ディスク状記録媒体をインナーローターの上方へ引き離して、シャッターやインナーローターがディスク状記録媒体の記録面に不用意に接触されることがないようにすることができ、高い安全性を確保できる。
【００５０】
請求項２は、ディスク状記録媒体を複数個のディスク押上げ部によってインナーローターの上方へ平行状に押し上げることができる。
【００５１】
請求項３は、ディスク押上げ部と、そのディスク押上げ部を下方へ押し下げ付勢する弾性手段とをインナーローターに備えて、インナーローターが下シェルの開口部の開位置から閉位置へ回転復帰された時に、ディスク押上げ部を弾性作用部に抗して下シェルの押上げ用凸部上に乗り上げることにより、ディスク押上げ部を上方へ押し上げるようにしたので、ディスク押上げ部及び弾性作用部をモールド部品等のインナーローターに一体成形することが可能であり、構造が簡単で、製造が容易である。
【００５２】
請求項４及び請求項６は、ディスク押上げ部をインナーローターに対して上下方向に平行移動させるように構成したので、このディスク押上げ部によってディスク状記録媒体の下側外周エッジを下方から上方へ押し上げる際に、その下側外周エッジに側圧がより一層かかりにくくなる。
【００５３】
請求項５は、ディスク押上げ部と、そのディスク押上げ部を上方へ押し上げ付勢する弾性作用部とを下シェルに備えて、インナーローターが下シェルの開口部の開位置から閉位置へ回転復帰された時に、ディスク押上げ部を弾性作用部によって上方へ押し上げるようにしたので、ディスク状記録媒体をインナーローターの上方へ弾性的に無理なく、安全に押し上げることができる。
【図面の簡単な説明】
【図１】本発明を適用したディスクカートリッジのディスク押上げ構造の第１の実施の形態を説明する要部を拡大して示した断面図である。
【図２】図１の要部の平面図である。
【図３】図２の斜視図である。
【図４】インナーローターによる下シェルの開口部の閉塞位置と、インナーローター上の２個のディスク押上げ部の配置とを示した下面側から見た透視図である。
【図５】図４のインナーローターが下シェルの開口部の開放位置まで回転した様子を示した下面側から見た透視図である。
【図６】インナーローターの３個のディスク押上げ部の配置を示した下面側から見た透視図である。
【図７】本発明を適用したディスクカートリッジのディスク押上げ構造の第２の実施の形態を説明する要部を拡大して示した断面図である。
【図８】図７の要部の平面図である。
【図９】図７の斜視図である。
【図１０】本発明を適用したディスクカートリッジのディスク押上げ構造の第３の実施の形態を説明する要部を拡大して示した断面図である。
【図１１】図１０のＡ−Ａ矢視及びＢ−Ｂ矢視での一部切欠き側面図である。
【図１２】図１０の要部の下面図である。
【図１３】インナーローターによる下シェルの開口部の閉塞位置と、下シェル上の２個のディスク押上げ部の配置とを示した下面側から見た透視図である。
【図１４】本発明を適用したディスクカートリッジのディスクカートリッジ全体の概要を説明する斜視図である。
【図１５】図１４のディスクカートリッジの分解斜視図である。
【図１６】図１４のディスクカートリッジの断面側面図である。
【図１７】図１４のディスクカートリッジのインナーローターと一対のシャッターの閉状態を示した下面側から見た斜視図である。
【図１８】図１４のディスクカートリッジのインナーローターと一対のシャッターの開状態を示した下面側から見た斜視図である。
【図１９】図１４のディスクカートリッジのインナーローターと一対のシャッターによって下シェルの開口部を閉塞した時の下方からの透視図である。
【図２０】図１４のディスクカートリッジのインナーローターと一対のシャッターによって下シェルの開口部を開放した時の下方からの透視図である。
【図２１】同上のディスクカートリッジの非使用状態の断面側面図である。
【図２２】同上のディスクカートリッジのディスクチャッキング回転時におけるディスク及びチャッキングプレートの上シェルに対する隙間を説明する図面である。
【図２３】従来のディスクカートリッジのディスク押し上げ構造を説明する要部の断面側面図である。
【符号の説明】
１はディスクカートリッジ、２は上シェル、２ａは上シェルの下面、３は下シェル、３ａは下シェルの開口部、４はディスク状記録媒体であるディスク、４ｃはディスクの記録面、４ｄはディスクの保護シート、４ｅはディスクの下側外周エッジ、２５はディスク押上げ部、２６は弾性作用部、２８は押上げ用凸部、３１はガイド部、３２は被ガイド部、３３は切欠き部、３５はガイド溝、３６は切欠き部である。
【図１】
2004103147.tif 000004
【図２】
2004103147.tif 000005
【図３】
2004103147.tif 000006
【図４】
2004103147.tif 000007
【図５】
2004103147.tif 000008
【図６】
2004103147.tif 000009
【図７】
2004103147.tif 000010
【図８】
2004103147.tif 000011
【図９】
2004103147.tif 000012
【図１０】
2004103147.tif 000013
【図１１】
2004103147.tif 000014
【図１２】
2004103147.tif 000015
【図１３】
2004103147.tif 000016
【図１４】
2004103147.tif 000017
【図１５】
2004103147.tif 000018
【図１６】
2004103147.tif 000019
【図１７】
2004103147.tif 000020
【図１８】
2004103147.tif 000021
【図１９】
2004103147.tif 000022
【図２０】
2004103147.tif 000023
【図２１】
2004103147.tif 000024
【図２２】
2004103147.tif 000025
【図２３】
2004103147.tif 000026